(57)【特許請求の範囲】
【請求項１】
運転者のアクセル操作を検出するアクセル操作量検出手段と、
車両に制動力を付与する制動力付与手段と、
前記アクセル操作量検出手段によりアクセル戻し操作を検出した場合に、前記制動力付与手段により所定の減速プロファイルに基づいて制動力を付与する制御手段と、を備えており、前記制御手段は、前記減速プロファイルに基づいて制動力付与を開始するアクセル開度をエンジンブレーキが作動する以前のアクセル開度であって、アクセルペダルを戻し始めた時点のアクセル開度とアクセル戻し速度に基づいたアクセル開度に設定することを特徴とする車両の運転支援装置。
【請求項２】
前記制御手段は、前記アクセル操作量検出手段で検出されたアクセル戻し速度が速いほど前記制動力付与手段により制動力付与を開始するアクセル開度を大きくすることを特徴とする請求項１記載の車両の運転支援装置。
【請求項３】
前記制御手段は、制動力付与制御中に前記アクセル操作量検出手段によりアクセル開操作が検出された場合には、操作速度が速いほど前記制動力付与手段により付与していた制動力の低下速度を早めることを特徴とする請求項１記載の車両の運転支援装置。
【請求項４】
前記制御手段は、車両が所定の減速状態に達した後に前記制動力付与手段により付与する制動力を低下せしめることを特徴とする請求項１記載の車両の運転支援装置。
【請求項５】
先行車両との相対速度および/または自車速度を検出する速度検出手段をさらに備えており、前記制御手段は、前記所定の減速状態を前記速度検出手段で検出された先行車両との相対速度または自車の車速が前記制動力付与制御開始時点から所定割合低下した時点に設定することを特徴とする請求項４記載の車両の運転支援装置。
【請求項６】
車輪の走行路面上での滑りやすさを判定する判定手段をさらに備えており、前記制御手段は、判定された滑りやすさに応じて前記制動力付与手段により付与する制動力を制御することを特徴とする請求項１記載の車両の運転支援装置。
【請求項７】
運転者のブレーキ操作量を検出するブレーキ操作量検出手段をさらに備えており、前記制御手段は、検出されたブレーキ操作量が所定以上に達した時点で前記制動力付与手段による制動力付与を停止することを特徴とする請求項１記載の車両の運転支援装置。
【請求項８】
運転者のブレーキ操作量を検出するブレーキ操作量検出手段をさらに備えており、前記制御手段は、検出されたブレーキ操作量に応じて前記制動力付与手段による制動力付与を漸減することを特徴とする請求項１記載の車両の運転支援装置。
【請求項９】
運転者のブレーキ操作量を検出するブレーキ操作量検出手段をさらに備えており、前記制御手段は、前記制動力付与手段による制動力付与に加えて検出されたブレーキ操作量に応じた制動力を付与することを特徴とする請求項１記載の車両の運転支援装置。
【請求項１０】
所定範囲内の先行車の位置を検出する先行車検出手段をさらに備えており、前記制御手段は前記先行車検出手段で先行車が検出されない場合には、制動力付与制御を禁止または制限することを特徴とする請求項１〜９のいずれかに記載の車両の運転支援装置。
【請求項１１】
前記制御手段は、車速が所定値を超える場合には前記制動力付与制御を停止することを特徴とする請求項１〜１０のいずれかに記載の車両の運転支援装置。
【発明の詳細な説明】
【０００１】
【発明の属する技術分野】
本発明はアクセル操作によって車両の加減速度を調整可能な車両の運転支援装置に関する。
【０００２】
【従来の技術】
高速道路などの自動車専用道路を多数の車両が通行している場合、同一レーン上の先行車が減速した場合には、追突を予防するため速やかに自車も減速を行う必要がある。
【０００３】
ところで、走行中は通常アクセルペダル操作が行われていることから、減速の際には、運転者はアクセルペダルからブレーキペダルへの踏み替え操作を行う必要があるが、車速に対して車間距離が短い場合等には、この踏み替え操作に時間を要するため、必要な車間距離が保てなくなる虞がある。
【０００４】
特開昭５０−６０２１号公報に開示されている技術は、こうした踏み替え操作時に制動力発生のタイムラグを抑制する技術であって、アクセルオフ時に車速に応じて機械的に制動力を付与するものである。
【０００５】
【発明が解決しようとする課題】
しかしながら、上記技術は先行車との追突を防止するため、速度に応じて所定のブレーキ油圧を付与するので、アクセルをゆるめた場合とオフにした場合とで減速度が不連続に変化することとなり、運転者が速度を微調整することが困難であるという問題がある。
【０００６】
そこで、本発明はアクセル操作によって加減速度を調整することが可能な車両の運転支援装置を提供することを課題とする。
【０００７】
上記課題を解決するため、本発明に係る車両の運転支援装置は、運転者のアクセル操作を検出するアクセル操作量検出手段と、車両に制動力を付与する制動力付与手段と、アクセル操作量検出手段によりアクセル戻し操作を検出した場合に、制動力付与手段により所定の減速プロファイルに基づいて制動力を付与する制御手段と、を備えており、この制御手段は、前記減速プロファイルに基づいて制動力付与を開始するアクセル開度をエンジンブレーキが作動する以前のアクセル開度であって、アクセルペダルを戻し始めた時点のアクセル開度とアクセル戻し速度に基づいたアクセル開度に設定することを特徴とする。
【０００８】
本発明によれば、所定の減速プロファイルに基づいて制動力を付与することでエンジンブレーキに対してアシスト制動力を付加し、アクセルペダルのみで調整可能な速度範囲を拡張する。そして、付与する減速度を時間的に変更することで過大な減速度を付与することがなく、運転者の意志に応じた速度調整が可能となる。また、さらに減速するために運転者がブレーキペダルへ踏み替える場合にも余裕を持って操作を行うことが可能である。
【０００９】
この制御手段は、アクセル操作量検出手段で検出されたアクセル戻し速度が速いほど制動力付与手段により制動力付与を開始するアクセル開度を大きくすることが好ましい。
【００１０】
アクセルオフによりエンジンブレーキが有効に作動するまでにはタイムラグがあるため、エンジンブレーキのアシスト制動力を早く付加することで運転者が意図する速度への減速を速やかに行うことができる。さらに、戻し操作中から減速度を付加することで、アクセル操作による加減速の調整範囲を拡張するとともに、加速から減速へのスムースな移行が行える。
【００１１】
また、制御手段は、制動力付与制御中にアクセル操作量検出手段によりアクセル開操作が検出された場合には、操作速度が速いほど制動力付与手段により付与していた制動力の低下速度を早めるものでもよい。これにより、運転者の意図に応じてスムースな減速から加速への移行が行える。
【００１２】
制御手段は、車両が所定の減速状態に達した後に制動力付与手段により付与する制動力を低下せしめることが好ましい。これにより、過度の制動力を付与して必要以上に減速を行うことがない。
【００１３】
先行車両との相対速度および/または自車速度を検出する速度検出手段をさらに備えており、制御手段は、所定の減速状態を速度検出手段で検出された先行車両との相対速度または自車の車速が制動力付与制御開始時点から所定割合低下した時点に設定することが好ましい。これにより先行車との車間距離を保持し、適切なクルーズコントロールを行うことができる。
【００１４】
車輪の走行路面上での滑りやすさを判定する判定手段をさらに備えており、制御手段は、判定された滑りやすさに応じて制動力付与手段により付与する制動力を制御することが好ましい。これにより、低μ路において過度の制動力を付与することによるスリップの発生を抑制できる。
【００１５】
運転者のブレーキ操作量を検出するブレーキ操作量検出手段をさらに備えており、制御手段は、検出されたブレーキ操作量が所定以上に達した時点で制動力付与手段による制動力付与を停止する、検出されたブレーキ操作量に応じて制動力付与手段による制動力付与を漸減する、あるいは制動力付与手段による制動力付与に加えて検出されたブレーキ操作量に応じた制動力を付与することが好ましい。これにより、運転者が意図した通りの制動力付与へとスムースに移行することができる。
【００１６】
所定範囲内の先行車の位置を検出する先行車検出手段をさらに備えており、制御手段は先行車検出手段で先行車が検出されない場合には、制動力付与制御を禁止または制限することが好ましい。これにより、車間距離が所定範囲内である場合には、余裕を持った減速操作が可能となる一方、車間距離が充分にある場合には、不必要な減速を避けることができ、車速コントロール性や燃費の悪化を抑制できる。
【００１７】
制御手段は、車速が所定値を超える場合には制動力付与制御を停止することが好ましい。これにより、高速走行中の不必要な減速を避けることができ、車速コントロール性や燃費の悪化を抑制できる。
【００１８】
【発明の実施の形態】
以下、添付図面を参照して本発明の好適な実施の形態について詳細に説明する。説明の理解を容易にするため、各図面において同一の構成要素に対しては可能な限り同一の参照番号を附し、重複する説明は省略する。
【００１９】
図１は本発明に係る車両の運転支援装置の概略構成を示すブロック図である。本装置の制御手段は、エンジンＥＣＵ１０、ブレーキＥＣＵ２０、車間距離ＥＣＵ３０から構成されている。そして、エンジンＥＣＵ１０は、ブレーキＥＣＵ２０、車間距離ＥＣＵ３０のそれぞれと相互に情報を交信する機能を有している。
【００２０】
エンジンＥＣＵ１０には、運転者のアクセル操作量を検出するアクセルセンサ１１、車速を検出する車速センサ１２、シフト設定状態を検出するシフトセンサ１３、雨滴を検知するレインセンサ１８の各検出出力が入力されるとともに、運転者がクルーズコントロールの設定を行うためのクルーズコントロールスイッチ１４と車間距離設定スイッチ１７の出力が入力されている。そして、図示していないスロットルに取り付けられ、その開度を調整するスロットルコントロールモータ１５と、自動シフト設定を行うシフトコントローラ１６を制御するとともに、表示系４０に対して所定の出力信号を出力するものである。
【００２１】
ブレーキＥＣＵ２０には、運転者のハンドル操作量を検出する操舵角センサ２１と、車体のヨーレートを検出するヨーレートセンサ２２と、運転者のブレーキ操作量を検出するブレーキセンサ２３の各検出出力が入力されており、各車輪に取り付けられた油圧ブレーキへ付与する制動力を制御するブレーキアクチュエータ２４の作動と、ストップランプ２５の点灯を制御するものである。
【００２２】
車間距離ＥＣＵ３０には、車体前方へパルスレーザを照射して、反射光受光までの時間により先行車の有無、相対速度を検出するためのレーザレーダセンサ３１が接続されている。
【００２３】
図２は、この運転支援装置によるクルーズコントロールを説明する図である。このクルーズコントロールは、自車の車速を設定速度に維持する定速走行制御と先行車との車間距離を安全な間隔に維持する車間制御から構成されている。ここでは、設定車速をＶａ、設定車間距離を車速Ｖに比例したＶ×ｔａ（以下、時間ｔａを単に設定車間という）として制御する場合を例に説明する。このクルーズコントロールは、アクセルセンサ１１で検出されたアクセル操作量が所定範囲にある状態で行われるものであり、設定速度の設定はクルーズコントロールスイッチ１４により、車間距離（時間）の設定は車間距離設定スイッチ１７により行われる。なお、レインセンサ１８により雨滴が検出された場合には、レーザレーダセンサ３１による先行車の正確な検出が期待できないため、クルーズコントロールは解除される。
【００２４】
まず、図２（ａ）に示されるように、自車１の前の所定範囲内に先行車がレーザレーダセンサ３１によって検出されていないと車間距離ＥＣＵ３０が判定した場合には、エンジンＥＣＵ１０は、シフトコントローラ１６、スロットルコントロールモータ１５を制御することで、自車１の車速をＶａに維持する。
【００２５】
次に、図２（ｂ）に示されるように、車間距離ＥＣＵ３０が先行車２が存在していると判定した場合であっても、その速度Ｖｂが自車の車速Ｖａより速く、その車間距離Ｌａが設定距離より離れつつあるか、または遅い場合であっても安全な車間距離が確保されている場合には、エンジンＥＣＵ１０は、自車１の車速をそのままの状態で維持する。
【００２６】
一方、図２（ｃ）に示されるように、車間距離ＥＣＵ３０が先行車との車間距離Ｌｂが設定距離に近づいているかそれより短い場合には、エンジンＥＣＵ１０は、シフトコントローラ１６、スロットルコントロールモータ１５を制御することで、自車の車速をＶｂへと減速することで、車間距離を安全な距離に維持する。変速やスロットル調整のみでは減速が不十分な場合には、ブレーキＥＣＵ２０に減速を指示し、ブレーキＥＣＵ２０は、ブレーキアクチュエータ２４を作動させることで、制動力を付与して減速を行うとともに、ストップランプ２５を点灯させて制動中であることを後続車に知らしめる。
【００２７】
また、図２（ｄ）に示されるように、減速制御中に先行車２が他のレーンに移動したり、加速することによって安全な距離が確保できる場合には、エンジンＥＣＵ１０は、シフトコントローラ１６、スロットルコントロールモータ１５を制御することで、自車１の車速を再度設定速度のＶａへと加速する。
【００２８】
なお、クルーズコントロール中は、いずれの状態においても現在の制御状態に関する情報を表示系４０により表示することで運転者に注意を促すことが好ましい。
【００２９】
本実施形態では、さらに以下に述べるようにアクセルオフ時に制動力を付与する減速制御を行うことを特徴とする。
【００３０】
図３は、この減速制御の処理を表わすフローチャートである。この制御は、エンジンＥＣＵ１０とブレーキＥＣＵ２０が協調して行うものであって、システムがオンにされてから所定のタイミングで繰り返し実行される。
【００３１】
まず、ステップＳ１では、アクセルオフによる減速処理モードであるか否かを判定する。具体的には、後述する減速制御フラグがオンに設定されているか否かにより判定を行う。
【００３２】
減速制御フラグがオンでない場合には、ステップＳ２へと移行し、アクセルセンサ１１で検出したアクセル操作量を基にしてアクセル開度θが閾値θTH以下に変更されたか否かを判定する。この閾値θTHは一定値ではなく、例えば次式により設定される可変値とすることが好ましい。
【００３３】
【数１】
0004696409.tif 000002
【００３４】
ここで、θａはアクセルを戻し始めたときのアクセル開度であり、ｋは定数である。これによれば、閾値θTHはアクセルを戻し始めたときのアクセル開度が大きいほど、また、その戻し速度が速いほど、大きく設定されることになる。
【００３５】
ステップＳ２でアクセル開度θが前回まで閾値θTHを超えていたのに、今回閾値θTH以下に変更されたと判定された場合には、ステップＳ３で減速制御フラグをオンにすることで減速処理モードへと移行し、ステップＳ４へと進む。閾値θTHを上式のように設定した場合、運転者がアクセルを素早く戻したときほど減速処理モードへの移行を早く行うことができるので、運転者の意図に則した減速操作を行うことができる。
【００３６】
一方、ステップＳ２でアクセル開度θが新たに閾値θTH以下に変更されたわけではないと判定された場合には、減速処理モードへは移行せず、その後の処理をスキップして、処理を終了する。このとき、クルーズコントロールが設定されていれば、それによる定速制御、車間制御が行われることになる。また、アクセル、ブレーキが操作されている場合にはそれに応じた加速、減速処理が行われる。
【００３７】
ステップＳ４では、この減速処理モード中の減速プロファイルを設定する。例えば、減速処理モードに突入した際の車速、先行車との相対速度、車間距離に基づいて必要とされる最大減速度Ｇaを算出し、これを基にして減速度プロファイルを設定する。
【００３８】
図４、図５はここで設定される減速プロファイルのいくつかの例を示したグラフである。まず、図４（ｂ）、（ｃ）は、アクセルが図４（ａ）に示されるようにオフ操作された場合に設定される減速プロファイルを示している。
【００３９】
いずれの場合でも、減速モードに移行する時刻ｔ1から減速度を増加せしめ、時刻ｔ3で最大減速度Ｇaに到達させる点は同一である。ただし、図４（ｂ）に示される場合には、時刻ｔ3の後は、時刻ｔ5までの間に付与減速度を漸減させるのに対して、図４（ｃ）に示される場合は一定時間（時刻ｔ4までの間）付与減速度を最大値Ｇaで保持して、その後時刻ｔ6までの間に減速度を漸減させる点が相違する。
【００４０】
図５（ｃ）に示される減速プロファイルの設定例においては、アクセル開度（図５（ａ）参照）の変化とともに車速センサ１２で検出された車速変化（図５（ｂ）を参照して、減速度が所定の減速度Ｇ0に達してから、車速が目標値Ｖthに達した時点ｔ7から時点ｔ8にかけて減速度を低下させるものである。
【００４１】
この目標値Ｖthは、例えば減速制御モード開始時の車速Ｖ1から所定割合β低下した車速、つまりＶth＝（１−β）×Ｖ1として設定すればよい。これにより支援範囲が明確になる。あるいは、相対速度が所定割合低下した時点から所定時間経過した後に減速度を低下させる減速度プロファイルを採用してもよい。
【００４２】
設定される減速度プロファイルは、自車の車速および／または先行車との相対速度の時間変化が下に凸となるように付加することが好ましい。これにより、制御モード突入から早期に大きな減速度を付加し、その後速度変化を小さくしていくことで運転者に安心感を与えることができる。
【００４３】
なお、操舵角センサ２１、ヨーレートセンサ２２により操舵中あるいは走行状態が不安定であることが検出された場合には、その走行状態に応じて減速度の付与プロファイルを変更することが好ましい。これにより走行状態に応じた適切な減速度を付与することができ、運転者の意図に応じた減速が可能となる。
【００４４】
ステップＳ５では、設定された減速度プロファイルに応じて付与すべき制動力を演算し、ブレーキアクチュエータ２４による制動油圧を設定する。この付与制動力は目標減速度に対してシフトダウン、エンジンブレーキによる減速度では不足する減速度を補うものである。
【００４５】
ステップＳ６では、設定油圧が正であるか否かを判定する。設定油圧が正である場合には、設定油圧に応じた制動制御を行う必要があるからステップＳ７へと移行して、設定油圧が実現されるようブレーキアクチュエータ２４を制御して処理を終了する。この際に、必要があれば、スロットルコントロールモータ１５、シフトコントローラ１６を制御することで、スロットルの閉操作、シフトダウン操作を平行して行うが、これらによる減速度発生には遅れがあるため、ブレーキ制動力を付与することで目標減速度を確実に発生させることができ、運転者の意図通りの車速調整が実施しやすい。
【００４６】
一方、ステップＳ６で設定油圧が０と判定された場合、すなわち、シフトダウン、エンジンブレーキによる減速で充分と判定された場合には、ステップＳ８へと移行して減速制御フラグをオフにして、減速処理モードを解除したうえで、制動処理を行わずに、処理を終了する。この後、必要であればクルーズコントロールによる処理が行われる。
【００４７】
ステップＳ１で、既に減速処理モードに設定されていると判定された場合には、ステップＳ１１へと移行し、アクセル開度θと閾値θth’とを比較し、再度アクセル操作が行われていないかを判定する。このときの閾値θth’はアクセル操作速度に応じて設定することが好ましい。
【００４８】
ステップＳ１１でアクセル開度θが閾値θth’以下であると判定された場合には、アクセルオフ操作が続行されており、減速処理モードを継続する必要があると判断して、ステップＳ１２へと移行する。一方、ステップＳ１１でアクセル開度θが閾値θth’を超えていると判定された場合（図７（ａ）参照）には、運転者はアクセル操作により減速の停止若しくは加速への切替を望んでいるものと推定されるから、減速処理モードを解除する必要があると判断して、ステップＳ２１へと移行する。
【００４９】
ステップＳ１２においては、ブレーキ操作が行われているか否かを判定する。ブレーキ操作が行われていない場合には、ステップＳ１３へと移行して現在が停止中か否かを判定する。車両が未だ停止していない場合には、ステップＳ５へと移行して、減速処理を継続する。一方、車両が設定した減速プロファイルに基づいて停止した場合には、運転者がアクセル操作を行わない限り、車両が停止状態で維持されることを望んでいるものと推定し、ステップＳ１４へと移行して、車両の停止状態を維持するのに必要な制動油圧を演算する。そして、ステップＳ７へと移行してブレーキアクチュエータ２４を制御して停止処理を継続する。この場合、クルーズコントロールは解除された状態になる。
【００５０】
一方、ステップＳ１２でブレーキ操作が行われたと判定された場合には、運転者はさらに制動力を付与して大きな減速度を付加することを要求しているものと推定し、ステップＳ１５へと移行して、運転者の操作したブレーキ操作量に基づいて、事前に設定された減速プロファイルによる減速度から得られる付与制動力より大きな制動力を印加するブレーキ油圧を設定する。
【００５１】
図６は、この制御の一例を示すグラフであり、図６（ａ）がブレーキ開度操作の時間変化を図６（ｂ）はそのときのブレーキ油圧の時間変化を示している。図６（ｂ）において、実線は実際の制御ブレーキ油圧Ｐｔを、点線は減速プロファイルに基づいて設定されるべきブレーキ油圧Ｐｄを、一点鎖線はブレーキ操作量にのみ基づいて設定されるべきブレーキ油圧Ｐｂを示している。図６に示されるように、ブレーキ操作が開始された時点ｔaから例えば、Ｐｔ＝Ｐｄ＋α×Ｐｂとなるよう設定する。そして、ＰｔがＰｂ以上となった時点ｔb以後はＰｔ＝Ｐｂと制御することで運転者が違和感を持たない減速操作を実現できる。
【００５２】
具体的には、続く、ステップＳ１６では、ＰｔとＰｂとを比較して、Ｐｔ＞Ｐｂの場合には、減圧処理フラグをオンにしたままステップＳ７へと移行して減速処理モードの処理を継続する。一方、ＰｔがＰｂに一致した時点で、減速制御フラグをオフにして減速処理モードを解除して（ステップＳ１７）処理を終了する。そのご、通常の制動操作に移行することで、連続性をもたせて制動力を制御することが可能である。
【００５３】
もちろん、ブレーキ操作が行われた場合には、運転者のブレーキ操作はさらに制動力を付与する意図であると推定して、ブレーキ操作の制動力を減速プロファイルに基づく減速度に単純に追加して付与してもよい。
【００５４】
また、ステップＳ２１からはアクセル操作に基づく制動処理モードの解除操作に移行する。具体的には、ステップＳ２１では、現在制動処理中であるか、具体的には、前回のタイムステップでブレーキ油圧が正に設定されているか否かを判定する。そして、制動が既に行われていないと判定された場合には、ステップＳ１７へと移行して、減速制御フラグをオフにして、減速処理モードを解除して処理を終了する。その後、通常のアクセル操作によるスロットル、シフト状態制御、若しくは、クルーズコントロール処理へと移行する。
【００５５】
一方、前回のタイムステップでブレーキ油圧が正に設定されている場合には、ステップＳ２２へと移行し、ブレーキ油圧を漸減させる処理を行う。図７はこのブレーキ油圧漸減処理を説明する図であり、（ａ）がアクセル開度の時間変化、（ｂ）がブレーキ油圧の時間変化を示している。
【００５６】
減速プロファイルに基づいてブレーキ油圧を図７（ｂ）に点線で示されるように変化するよう設定している場合に、アクセル操作がなされた場合、アクセル開度が閾値θth’を超えた時点でその時点のアクセル操作速度ｄθ／ｄｔに比例する勾配でブレーキ油圧を実線で示すように削減することで、制動力を低下させて減速度を低下させることで加速への移行をスムースに行うことができる。
【００５７】
本制御によれば、アクセルをオフにすることで、通常のエンジンブレーキより素早くかつ当初においては大きな減速度を付加することができるので、アクセル操作のみで調整可能な速度範囲が広がり、車速のコントロール性が向上する。また、余裕を持ってアクセルからブレーキへの踏み替え操作が行える。さらに、アクセルオフにしてから制動力による減速度を付与し続けることがないので、減速しすぎることがなく、運転者の意図以上の減速が行われることがない。
【００５８】
さらに、以前の制動状態等から走行中の路面における車輪の滑りやすさを判定し、その判定結果に応じて減速プロファイル、制動油圧を制御することで、スリップの発生を抑制することが好ましい。
【００５９】
また、先行車との車間距離が充分に開いている場合や、車速が充分に速い場合には、減速処理モードに移行しないように設定してもよい。先行車との車間距離が充分にある場合には、大きな減速度を付与する必要性に乏しいし、特にクルーズコントロール実施中は、運転者はアクセルオフでも定速走行が継続されることを望んでいると推定されるからである。高速走行中においても同様のことがいえ、過剰な減速度付与はかえって運転者の意図に反する可能性がある。このような場合には、減速度付与を禁止あるいは制限することにより、燃費の悪化を防止する効果もある。
【００６０】
一方、渋滞等の車速が低く、車間が狭い状況下では、従来の技術によれば、頻繁なアクセル、ブレーキ操作が必要とされるが、本発明によれば、アクセル操作のみで減速、加速を広い範囲でコントロールすることが可能であるため、ドライバビリティーが向上する。
【００６１】
以上の説明では、クルーズコントロールを行う車両に搭載する例を説明してきたが、本発明は定速走行や車間制御走行機能を有しない車両についても同様に適用可能である。
【００６２】
【発明の効果】
以上説明したように本発明によれば、アクセル操作による車速コントロール性能が向上し、余裕を持ってアクセル操作からブレーキ操作への移行を行うことができる。また、減速プロファイルを制御するので、運転者の意図に反する減速が行われることがなく、ドライバビリティーが悪化することがない。
【図面の簡単な説明】
【図１】本発明に係る車両の運転支援装置の概略構成を示すブロック図である。
【図２】図１の装置で行うクルーズコントロールを説明する図である。
【図３】図１の装置における減速制御の処理を表わすフローチャートである。
【図４】図３の処理における減速度プロファイルの各種の例を示す図である。
【図５】図３の処理における減速度プロファイルの別の例を示す図である。
【図６】図３の処理において運転者によるブレーキ操作が行われたときのブレーキ油圧制御の一例を示す図である。
【図７】図３の処理中において運転者によるアクセル操作が行われたときのブレーキ油圧制御の一例を示す図である。
【符号の説明】
１…自車、２…先行車、１０…エンジンＥＣＵ、１１…アクセルセンサ、１２…車速センサ、１３…シフトセンサ、１４…クルーズコントロールスイッチ、１５…スロットルコントロールモータ、１６…シフトコントローラ、１７…車間距離設定スイッチ、１８…レインセンサ、２０…ブレーキＥＣＵ、２１…操舵角センサ、２２…ヨーレートセンサ、２３…ブレーキセンサ、２４…ブレーキアクチュエータ、２５…ストップランプ、３０…車間距離ＥＣＵ、３１…レーザレーダセンサ、４０…表示系。
【図１】
0004696409.tif 000003
【図２】
0004696409.tif 000004
【図３】
0004696409.tif 000005
【図４】
0004696409.tif 000006
【図５】
0004696409.tif 000007
【図６】
0004696409.tif 000008
【図７】
0004696409.tif 000009